(57)【要約】      （修正有）【課題】  ユーザーが必要な情報をいつでも容易に得られることができる、無線認識機能を有する携帯用端末装置システムとその方法の提供。【解決手段】  無線認識チップが内蔵されている物品から発散される電波を利用して前記物品に対する情報を受信し、無線認識チップが内蔵されている前記物品により携帯用端末装置が前記チップが保存している情報を要請し、前記物品から前記物品の情報を受信し、前記受信された情報以外に他の情報がさらに必要な場合、前記携帯用端末装置は、前記受信された情報を利用して前記物品に対する情報を保存しているサーバーに必要な情報を要請する。【選択図】     図４
2005210691.tif 000002
【特許請求の範囲】
【請求項１】
無線認識のチップが内蔵されている物品から発信される電波を受信して前記物品に関する情報を受信する携帯端末用装置の使用方法であって、
前記無線認識のチップが内蔵されている前記物品に対し、携帯用端末装置が前記無線認識チップに保存されている物品の情報を要請するステップと、
前記携帯用端末装置は前記物品から前記物品に関する情報を受信するステップと、
からなることを特徴とする、携帯端末用装置の使用方法。
【請求項２】
受信した前記物品に関する情報以外に他の情報がさらに必要である場合、前記携帯用端末装置は、受信した前記物品に関する情報を利用して前記物品に関する情報を保存しているサーバに必要な情報を要請するステップをさらに含むことを特徴とする、請求項１に記載の携帯端末用装置の使用方法。
【請求項３】
前記物品から受信した情報を、必要な場合に読み出すために前記携帯端末用装置の保存装置に保存することを特徴とする、請求項２に記載の携帯端末用装置の使用方法。
【請求項４】
前記無線認識の動作において用いられる周波数の範囲は、移動通信において用いられる周波数の範囲と同一であることを特徴とする、請求項１に記載の携帯端末用装置の使用方法。
【請求項５】
前記無線認識の動作と前記移動通信の動作とを、１つのまとまった構成において行うことを特徴とする、請求項４に記載の携帯端末用装置の使用方法。
【請求項６】
前記携帯用端末装置に具備されている入力キーが押下され前記入力キーから伝達される信号に応じて、前記携帯用端末装置は、前記無線認識の動作及び前記移動通信の動作を行うことを特徴とする、請求項５に記載の携帯端末用装置の使用方法。
【請求項７】
前記携帯用端末装置は、前記無線認識の動作のみを行う構成を含むことを特徴とする、請求項４に記載の携帯端末用装置の使用方法。
【請求項８】
前記携帯用端末装置に具備されている入力キーが押下され前記入力キーから伝達される信号に応じて、前記携帯用端末装置は、前記無線認識の動作を行うことを特徴とする、請求項７に記載の携帯端末用装置の使用方法。
【請求項９】
前記移動通信の動作において用いられる周波数の範囲と前記無線認識に用いられる周波数の範囲とが異なる場合、前記移動通信動作において用いられる周波数の範囲のうちの所定範囲の周波数を前記無線認識に用いられる周波数に設定することを特徴とする、請求項１に記載の携帯端末用装置の使用方法。
【請求項１０】
前記無線認識の動作及び前記移動通信の動作は、１つのまとまった構成において行われることを特徴とする、請求項９に記載の携帯端末用装置の使用方法。
【請求項１１】
前記携帯用端末装置に具備されている入力キーが押下され前記入力キーから伝達される信号に応じて、前記携帯用端末装置は、前記無線認識の動作及び前記移動通信の動作を行うことを特徴とする、請求項１０に記載の携帯端末用装置の使用方法。
【請求項１２】
前記携帯用端末装置は、前記無線認識の動作のみを行う構成を含むことを特徴とする、請求項９に記載の携帯端末用装置の使用方法。
【請求項１３】
前記携帯用端末装置に具備されている入力キーが押下され前記入力キーから伝達される信号に応じて、前記携帯用端末装置は、前記無線認識の動作を行うことを特徴とする、請求項１２に記載の携帯端末用装置の使用方法。
【請求項１４】
無線認識のチップが内蔵されている物品から発信される電波を受信して前記物品に関する情報を受信する携帯端末用システムであって、
前記無線認識のチップが内蔵されている前記物品により前記無線認識のチップが保存している情報を要請し、前記物品から所望の前記物品の情報を受信する携帯用端末装置を含み、
前記無線認識チップは、前記携帯用端末装置からの要請により保存している前記物品に関する情報を伝送することを特徴とする、携帯端末用システム。
【請求項１５】
前記携帯用端末装置は、前記物品から受信した情報以外に他の情報がさらに必要である場合、前記物品から受信した前記物品に関する情報を利用して前記物品に関する情報を保存しているサーバに必要な情報を要請することを特徴とする、請求項１４に記載の携帯端末用システム。
【請求項１６】
前記携帯用端末装置は、前記物品から受信した情報を、必要な場合に読み出すために前記物品から受信した情報を保存する所定の保存装置を含むことを特徴とする、請求項１５に記載の携帯端末用システム。
【請求項１７】
前記携帯用端末装置は、前記無線認識の動作において用いられる周波数の範囲と、移動通信において用いられる周波数の範囲とが同一であることを特徴とする、請求項１４に記載の携帯端末用システム。
【請求項１８】
前記携帯用端末装置は、前記無線認識の動作と前記移動通信の動作とを、１つのまとまった構成において行うことを特徴とする、請求項１７に記載の携帯端末用システム。
【請求項１９】
前記携帯用端末装置は入力キーを具備し、前記入力キーから伝達される信号に応じて前記無線認識動作及び前記移動通信動作を行うことを特徴とする、請求項１８に記載の携帯端末用システム。
【請求項２０】
前記携帯用端末装置は、前記無線認識の動作のみを行う構成を含むことを特徴とする、請求項１７に記載の携帯端末用システム。
【請求項２１】
前記携帯用端末装置は、入力キーを具備し、前記入力キーから伝達される信号に応じて前記無線認識の動作を行うことを特徴とする、請求項２０に記載の携帯端末用システム。
【請求項２２】
前記携帯用端末装置は、前記移動通信において用いられる周波数の範囲と前記無線認識のために用いられる周波数の範囲とが異なる場合、前記移動通信動作において用いられる周波数の範囲のうちの所定範囲の周波数を前記無線認識に用いられる周波数に設定することを特徴とする、請求項１４に記載の携帯端末用システム。
【請求項２３】
前記携帯用端末装置は、前記無線認識の動作と前記移動通信の動作を１つのまとまった構成において行うことを特徴とする、請求項２２に記載の携帯端末用システム。
【請求項２４】
前記携帯用端末装置は、入力キーを具備し、前記入力キーから伝達される信号に応じて、前記無線認識の動作及び移動通信の動作を行うことを特徴とする、請求項２３に記載の携帯端末用システム。
【請求項２５】
前記携帯用端末装置は、前記無線認識のみの動作を行う構成を含むことを特徴とする、請求項２２に記載の携帯端末用システム。
【請求項２６】
前記携帯用端末装置は、入力キーを具備し、入力キーから伝達される信号に応じて前記無線認識の動作を行うことを特徴とする、請求項２５に記載の携帯端末用方法。
【発明の詳細な説明】
【技術分野】
【０００１】
本発明は、前記携帯用端末装置を利用して必要な情報を獲得する携帯端末用装置の使用方法及びシステムに関するものである。
【背景技術】
【０００２】
通信技術の発達に伴い開発された携帯用端末装置は、他の携帯用端末装置との通信以外に、特定サーバに保存されている情報を獲得する。また、前記携帯用端末装置の利用者の要求に応じて各種付加機能がさらに開発された。
【発明の開示】
【発明が解決しようとする課題】
【０００３】
以下より、前記携帯用端末装置の一般的な構成および前記携帯用端末装置の各種付加機能を説明する。
【０００４】
図１に、一般的な携帯用端末装置の受信部の構成を示す。図１を参照すると、アンテナ１００は、空気中の電磁気信号を受信して帯域選択フィルタ（ｂａｎｄ ｓｅｌｅｃｔ ｆｉｌｔｅｒ：図１中、ＢＳＦ）１０２に伝達する。前記アンテナ１００が受信する信号には、受信しようとする信号以外に他の信号が含まれている。そのため、前記帯域選択フィルタ１０２により、所望の周波数帯域のみを増幅できるように帯域通過フィルタリングが行われる。複数個の無線チャネルを用いる場合は、前記複数個の無線チャネルを通過させなければならない。同一のアンテナを用いる場合は、デュプレクサーが前記帯域選択フィルタの機能を行う。
【０００５】
低雑音増幅器（ｌｏｗ ｎｏｉｓｅ ａｍｐｌｉｆｉｅｒ：図１中、ＬＮＡ）１０４は、受信信号に含まれている雑音が増幅されることを防止すると同時に、前記受信信号に対する増幅過程を行う。画像除去フィルタ（ｉｍａｇｅ ｒｅｊｅｃｔ ｆｉｌｔｅｒ：図１中、ＩＲＦ）１０６は、低雑音増幅器１０４において増幅された信号の中から除去されなければならない画像がミキサーに伝達されることを防止するためにさらに帯域通過フィルタリングを行う。前記画像除去フィルタ１０６において帯域通過フィルタリングが行われた前記受信信号は、無線周波数の下向変換混合器（以下、ＲＦ下向変換混合器）１０８に伝達される。
【０００６】
ＲＦ局部発振器（ＲＦ ｌｏｃａｌ ｏｓｃｉｌｌａｔｏｒ：図１中、ＲＦ ＬＯ）１１０は、ＲＦ下向変換混合器１０８において周波数を合成するために必要な局部発信器の周波数信号を、前記ＲＦ下向変換混合器１０８に供給する。チャネル選択が必要である場合は、局部発信器周波数信号の周波数を変化させてチャネル選択を行うことができるようにする。位相固定ループ（ｐｈａｓｅ ｌｏｃｋｅｄ ｌｏｏｐ：図１中、ＰＬＬ）１１２は前期ＲＦ局部発振器１１０への出力周波数が変動されずに一定した周波数となるように固定させる。前記ＲＦ下向変換混合器１０８は、前期ＲＦ局部発振器１１０の出力周波数を利用して前記画像除去フィルタ１０６から伝達された無線周波数信号を中間周波数（ｉｎｔｅｒｍｅｄｉａｔｅ ｆｒｅｑｕｅnｃｙ：図１中、ＩＦ）帯域の周波数に変換させる。
【０００７】
チャネル選択フィルタ（ｃｈａｎｎｅｌ ｓｅｌｅｃｔ ｆｉｌｔｅｒ：図１中、ＣＳＦ）１１４は、ＲＦ下向変換混合器１０８において中間周波数に変換された中間周波数信号のうち、所望のチャネルのみを帯域通過フィルタリングして選択する機能を行う。各チャネル間の間隔が狭いため、前記チャネル選択フィルタ１１４は優れた性能を必要とする。中間周波数信号増幅器１１６は、チャネル選択フィルタ１１４で帯域通過フィルタリングを行った信号のうち、受信しようとするチャネルの信号に対して増幅過程を行う。前記ＩＦ増幅器１１６において増幅過程が行われた前記信号は、ＩＦ下向変換混合器１１８に伝達される。中間周波数の局部発振器１２０は、ＩＦ信号をベースバンド信号に変換するために、前記ＩＦ下向変換混合器１１８にＬＯ周波数信号を伝達する。前記ＬＯ周波数信号を固定するために、ＰＬＬが用いられることもある。前記ＩＦ下向変換混合器１１８は、ＬＯ周波数信号を利用して前記ＩＦ帯域の信号をベースバンド信号に変換し、前記変換されたベースバンド信号を出力する。
【０００８】
図２に、携帯用端末装置の送信構造を示す。図２を参照すると、携帯用端末装置の送信構造は、前記図１の携帯用端末装置の受信構造と同一であるため、説明を省略する。
【０００９】
次に、図２の携帯用端末装置の送信動作について説明する。ここで、ＩＦ下向変換混合器２００から画像除去フィルタ２１４までの動作は、前記図１のＩＦ下向変換混合器１１８から画像除去フィルタ１０６において行う動作の逆の動作であるため、説明を省略する。従って、以下より、駆動増幅器（ｄｒｉｖｅｒ ａｍｐｌｉｆｉｅｒ：図２中、ＤＡに相当）２１６以降について説明するする。送信端は受信端とは異なって一定の入力信号を有する。前記駆動増幅器２１６は、電力増幅器（ｐｏｗｅｒ ａｍｐｌｉｆｉｅｒ：図２中、ＰＡに相当）２２０の利得不足の問題を解決し、前記電力増幅器２２０の入力電力を十分な入力電力にするために、入力電力を生成する。帯域選択フィルタ（図２中、ＢＳＦに相当）２１８は、駆動増幅器２１６より出力された信号のうち、不要な周波数出力成分を除去する。前記電力増幅器２２０は、最終端において十分な電力を有する信号を無線上に伝送できるように電力増幅を行う。アイソレータ２２２は、特定方向に信号が伝達されるように信号の方向を固定する。即ち、出力方向にのみ信号が流れ、逆方向に入った信号は除去する。これにより、アンテナ２２６を通じて逆に流入された信号は除去される。帯域選択フィルタ（図２中、ＢＳＦに相当）２２４は、前記帯域選択フィルタ２１８と同一な機能を持つ。即ち、所望の周波数帯域のみを無線上に伝達するために、最後に帯域通過フィルタリングを行う。帯域選択フィルタ２２４によってフィルタリングが行われた送信信号は、アンテナ２２６を通じて無線上に伝送される。
【００１０】
以下、現在の携帯用端末装置を含んで各種装置または物品において用いられている無線認識（ｒａｄｉｏ ｆｒｅqｕｅｎｃｙ ｉｄｅｎｔｉｆｉｃａｔｉｏｎ：以下、ＲＦＩＤ）について説明する。前記ＲＦＩＤ技術は、生産方式の変化、消費者意識の変化、文化及び技術の進歩、バーコードとマグネチックカードの短所解消要求などにより開発されたシステムである。ＲＦＩＤは、非接触式カードの一種であり、非接触式カードと称する場合は、ＲＦＩＤを示している場合が多い。
【００１１】
ＲＦＩＤは、接触式カードとは異なって利用者がカードをリーダーに挿入する時間が必要でなく、機械的な接触がない。そのため、摩擦や損傷がなく、汚染や環境の影響が少ない。アンテナは、持続的に電波を発散しており、ＩＤとＤＡＴＡとが保存されたタグがその電波の範囲内に入ると、自分が有しているＩＤとＤＡＴＡとをアンテナに伝送する。この場合、前記アンテナは、タグより伝送されたＩＤをデータ信号に変換してＰＣに伝送し、ＰＣは予め保存されたデータベースと比較して必要なサービスを提供する。このときに用いられる信号の周波数は、１０kHzないし３００kHzが用いられるが、主に低周波数（１３４．２kHz）の信号を用いる。以下においては、前記ＲＦＩＤの特徴について説明する。
【００１２】
先ず第１に、同時に多数のタグを認識でき、高速認識が可能であって、時間が節約される。これにより、物流分野においてはＲＦＩＤタグがバーコードやマグネチックタグの代替品として利用されている。第２に、感知距離が長いため、様々なシステム特性や環境下でも適用が容易であり応用領域が広い。既存の駐車場管理システムで用いられていた接触式スマートカードは、最近ではＲＦＩＤに代替している。第３に、耐環境性に優れて寿命が長い点である。利用者がリーダーにタグを挿入する必要がなく、機械的な接触がない。従って、摩擦によるタグの損傷や、埃、湿気、温度、雪、雨などの悪条件下において使用してもエラー率は極めて低い。従って、開放された空間でのシステムに多く適用されている。第４に、非金属材料を通過できるという点である。第５は、高速の移動体の認識が可能である。アンテナの電波発射からＩＤ認識までにかかる時間は０．０１〜０．１ｓｅｃに過ぎないため、無停車駐車管理、高速道路またはトンネルの自動通行料徴収システム（ＥＴＣ）に設置及び応用ができる。
【００１３】
これらの利点を持つＲＦＩＤを前記携帯用端末装置に応用することにより、更に多機能化に対応した次世代の携帯用端末装置の開発が可能となる。現在、ＲＦＩＤを前記携帯用端末装置に採用するためのシステム及び方法は現在多様に議論されている。しかしながら、ＲＦＩＤ技術を多様に接続するための画期的な方法は未だ存在していない。
【００１４】
そこで、本発明の目的は、ＲＦＩＤ技術を携帯用端末装置に多様に接続できるシステム及び方法を提案することにある。
【００１５】
本発明の他の目的は、ＲＦＩＤ技術を利用して携帯用端末装置の利用者が必要な情報をいつでも容易に得られるシステム及び方法を提案することにある。
【００１６】
本発明の他の目的は、ＲＦＩＤ技術を利用して携帯用端末装置の利用者が得た情報を利用し、電子商取引を行うことができるシステム及び方法を提案することにある。
【課題を解決するための手段】
【００１７】
前記した本発明の課題を達成するために、発明１は、無線認識のチップが内蔵されている物品から発信される電波を受信して前記物品に関する情報を受信する携帯端末用装置の使用方法であって、前記無線認識のチップが内蔵されている前記物品に対し、携帯用端末装置が前記無線認識チップに保存されている物品の情報を要請するステップと、前記携帯用端末装置は前記物品から前記物品に関する情報を受信するステップと、からなる携帯端末用装置の使用方法を提供する。これにより、無線認識チップが保持している名刺やポスター、物品などに関する情報を取得できる。また、物品に関する情報が保存されているサーバーに接続することにより、携帯用端末装置の利用者は、必要な情報をいつでも得られる。
【００１８】
発明２は、前記発明１において、受信した前記物品に関する情報以外に他の情報がさらに必要である場合、前記携帯用端末装置は、受信した前記物品に関する情報を利用して前記物品に関する情報を保存しているサーバに必要な情報を要請するステップをさらに含むことを特徴とする携帯端末用装置の使用方法を提供する。
【００１９】
発明３は、前記発明２において、前記物品から受信した情報を、必要な場合に読み出すために前記携帯端末用装置の保存装置に保存することを特徴とする携帯端末用装置の使用方法を提供する。
【００２０】
発明４は、前記発明１において、前記無線認識の動作において用いられる周波数の範囲は、移動通信において用いられる周波数の範囲と同一であることを特徴とする携帯端末用装置の使用方法を提供する。
【００２１】
発明５は、前記発明４において、前記無線認識の動作と前記移動通信の動作とを、１つのまとまった構成において行うことを特徴とする携帯端末用装置の使用方法を提供する。１つのまとまった構成とは、ＲＦＩＤリーダーを備えている携帯用端末装置の送受信構造のことである。即ち、送信部と受信部より構成された携帯用端末装置である。
【００２２】
発明６は、前記発明５において、前記携帯用端末装置に具備されている入力キーが押下され前記入力キーから伝達される信号に応じて、前記携帯用端末装置は、前記無線認識の動作及び前記移動通信の動作を行うことを特徴とする携帯端末用装置の使用方法を提供する。
【００２３】
発明７は、前記発明４において、前記携帯用端末装置が、前記無線認識の動作のみを行うことを特徴とする携帯端末用装置の使用方法を提供する。
【００２４】
発明８は、前記発明７において、前記携帯用端末装置に具備されている入力キーが押下され前記入力キーから伝達される信号に応じて、前記携帯用端末装置は、前記無線認識の動作を行うことを特徴とする携帯端末用装置の使用方法を提供する。
【００２５】
発明９は、前記発明１において、前記移動通信の動作において用いられる周波数の範囲と前記無線認識に用いられる周波数の範囲とが異なる場合、前記移動通信動作において用いられる周波数の範囲のうちの所定範囲の周波数を前記無線認識に用いられる周波数に設定することを特徴とする、携帯端末用装置の使用方法を提供する。
【００２６】
発明１０は、前記発明９において、前記無線認識の動作及び前記移動通信の動作は、１つのまとまった構成において行われることを特徴とする携帯端末用装置の使用方法を提供する。１つのまとまった構成とは、ＲＦＩＤリーダーを備えている携帯用端末装置の送受信構造のことである。即ち、送信部と受信部より構成された携帯用端末装置である。
【００２７】
発明１１は、前記発明１０において、前記携帯用端末装置に具備されている入力キーが押下され前記入力キーから伝達される信号に応じて、前記携帯用端末装置は、前記無線認識の動作及び前記移動通信の動作を行うことを特徴とする携帯端末用装置の使用方法を提供する。
【００２８】
発明１２は、前記発明９において、前記携帯用端末装置は、前記無線認識の動作のみを行う構成を含むことを特徴とする携帯端末用装置の使用方法を提供する。
【００２９】
発明１３は、前記発明１２において、前記携帯用端末装置に具備されている入力キーが押下され前記入力キーから伝達される信号に応じて、前記携帯用端末装置は、前記無線認識の動作を行うことを特徴とする携帯端末用装置の使用方法を提供する。
【００３０】
また、前記課題を解決するために、本発明１４は、前記発明無線認識のチップが内蔵されている物品から発信される電波を受信して前記物品に関する情報を受信する携帯端末用システムであって、前記無線認識のチップが内蔵されている前記物品により前記無線認識のチップが保存している情報を要請し、前記物品から所望の前記物品の情報を受信する携帯用端末装置を含み、前記無線認識チップは、前記携帯用端末装置からの要請により保存している前記物品に関する情報を伝送することを特徴とする携帯端末用システムを提供する。これにより、無線認識チップが保持している名刺やポスター、物品などに関する情報を取得できる。また、物品に関する情報が保存されているサーバーに接続することにより、携帯用端末装置の利用者は、必要な情報をいつでも得られる。
【００３１】
発明１５は、前記発明１４において、前記携帯用端末装置は、前記物品から受信した情報以外に他の情報がさらに必要である場合、前記物品から受信した前記物品に関する情報を利用して前記物品に関する情報を保存しているサーバに必要な情報を要請することを特徴とする携帯端末用システムを提供する。
【００３２】
発明１６は、前記発明１５において、前記携帯用端末装置は、前記物品から受信した情報を、必要な場合に読み出すために前記物品から受信した情報を保存する所定の保存装置を含むことを特徴とする携帯端末用システムを提供する。
【００３３】
発明１７は、前記発明１４において、前記携帯用端末装置は、前記無線認識の動作において用いられる周波数の範囲と、移動通信において用いられる周波数の範囲とが同一であることを特徴とする携帯端末用システムを提供する。
【００３４】
発明１８は、前記発明１７において、前記携帯用端末装置は、前記無線認識の動作と前記移動通信の動作とを、１つのまとまった構成において行うことを特徴とする携帯端末用システムを提供する。１つのまとまった構成とは、ＲＦＩＤリーダーを備えている携帯用端末装置の送受信構造のことである。即ち、送信部と受信部より構成された携帯用端末装置である。
【００３５】
発明１９は、前記発明１８において、前記携帯用端末装置は入力キーを具備し、前記入力キーから伝達される信号に応じて前記無線認識動作及び前記移動通信動作を行うことを特徴とする携帯端末用システムを提供する。
【００３６】
発明２０は、前記発明１７において、前記携帯用端末装置は、前記無線認識の動作のみを行う構成を含むことを特徴とする携帯端末用システムを提供する。
【００３７】
発明２１は、前記発明２０において、前記携帯用端末装置は、入力キーを具備し、前記入力キーから伝達される信号に応じて前記無線認識の動作を行うことを特徴とする携帯端末用システムを提供する。
【００３８】
発明２２は、前記発明１４において、前記携帯用端末装置は、前記移動通信において用いられる周波数の範囲と前記無線認識のために用いられる周波数の範囲とが異なる場合、前記移動通信動作において用いられる周波数の範囲のうちの所定範囲の周波数を前記無線認識に用いられる周波数に設定することを特徴とする携帯端末用システムを提供する。
【００３９】
発明２３は、前記発明２２において、前記携帯用端末装置は、前記無線認識の動作と前記移動通信の動作を１つのまとまった構成において行うことを特徴とする携帯端末用システムを提供する。１つのまとまった構成とは、ＲＦＩＤリーダーを備えている携帯用端末装置の送受信構造のことである。即ち、送信部と受信部より構成された携帯用端末装置である。
【００４０】
発明２４は、前記発明２３において、前記携帯用端末装置は、入力キーを具備し、前記入力キーから伝達される信号に応じて、前記無線認識の動作及び移動通信の動作を行うことを特徴とする携帯端末用システムを提供する。
【００４１】
発明２５は、前記発明２２において、前記携帯用端末装置は、前記無線認識の動作のみを行う構成を含むことを特徴とする携帯端末用システムを提供する。
【００４２】
発明２６は、前記発明２５において、前記携帯用端末装置は、入力キーを具備し、入力キーから伝達される信号に応じて前記無線認識の動作を行うことを特徴とする携帯端末用方法を提供する。
【発明の効果】
【００４３】
本発明によると、携帯用端末装置をＲＦＩＤリーダーとして用いるため、ＲＦＩＤチップが内蔵されている名刺やポスト、物品などに関する情報を獲得できる。また、名刺、ポスト、物品に関して必要な情報が追加的に要求される場合、前記名刺、ポスト、物品に関する情報が保存されているサーバーに接続することにより、前記携帯用端末装置の利用者は、必要な情報をいつでも得られるようになる。
【発明を実施するための最良の形態】
【００４４】
既存の携帯用端末装置はＲＦＩＤトランスポンダとしてのみ用いられたが、本発明の携帯用端末装置には、ＲＦＩＤトランスポンダの機能以外にＲＦＩＤリーダーとしての機能が付加される。以下より、本発明におけるＲＦＩＤトランスポンダ機能とＲＦＩＤリーダー機能とを行う携帯用端末装置について説明する。
＜携帯用端末装置＝ＲＦＩＤトランスポンダ＞
［構成］
図３に、前記携帯用端末装置がＲＦＩＤトランスポンダとして機能する場合を示す。図３を参照すると、携帯用端末装置は、サーバー３００と、携帯用端末装置（ＲＦＩＤトランスポンダ）３２０と、ＲＦＩＤリーダー３１０と、の構成からなる。
［動作］
次に、図３に係る携帯用端末装置がＲＦＩＤトランスポンダとして機能する場合について説明する。
【００４５】
ＲＦＩＤリーダー３１０は、アンテナを利用して持続的に電波を発信する。ＲＦＩＤリーダー３１０の発信電波が、携帯用端末装置３２０が受信可能な領域に含まれると、携帯用端末装置３２０はＲＦＩＤリーダー３１０の発信電波を受信する。携帯用端末装置３２０がＲＦＩＤリーダー３１０の発信電波を受信するためには、携帯用端末装置３２０がＲＦＩＤリーダー３１０の発信電波を受信可能な機能を備えていなければならない。携帯用端末装置３２０において、ＲＦＩＤリーダー３１０の発信電波を受信するための構成については、下記において説明することにする。
【００４６】
携帯用端末装置３２０は、ＲＦＩＤリーダー３１０から電波を受信すると、携帯用端末装置３２０は受信した情報に対する応答情報を伝送する。具体的な例として、携帯用端末装置３２０でバス料金を支払う場合、バスに備えられているＲＦＩＤリーダー３１０は、携帯用端末装置３２０を用いてバス料金を支払うことができるか否かを問い合わせる。バス内のＲＦＩＤリーダーからの問い合わせを受信した携帯用端末装置３２０は、支払い可能な金額（保存されている金額）を確認し、確認した金額がバス料金を超えるか否かを判断する。確認した金額がバス料金を超えると判断した場合は、携帯用端末装置３２０はバス料金を支払うことができると送信し、確認された金額からバス料金を減算して保存する。ＲＦＩＤリーダー３１０は、携帯用端末装置３２０から送信された情報を処理する。尚、この場合は、携帯用端末装置３２０に一定金額に該当する情報を含んでいる場合である。
【００４７】
ところが、現在用いられている後払い式料金精算方式の場合、携帯用端末装置３２０は、携帯用端末装置３２０に関する情報をＲＦＩＤリーダー３１０に送信する。即ち、携帯用端末装置３２０の固有番号や利用者に関する情報を送信する。携帯用端末装置３２０の固有番号や利用者に関する情報を受信したＲＦＩＤリーダー３１０は、情報をサーバー３００に送信する。サーバー３００は、送信された情報を受信して、携帯用端末装置３２０の利用者が支払うべきバス料金に対する情報を累積して保存する。累積されているバス料金は、一定時間単位で携帯用端末装置３２０の利用者に送信する。
＜携帯用端末装置＝ＲＦＩＤリーダー＞
［構成］
図４に、本発明による携帯用端末装置がＲＦＩＤリーダーとして機能する場合を示す。図４を参照すると、携帯用端末装置は、サーバー４００と、携帯用端末装置４１０と、ＲＦＩＤトランスポンダ４２０と、の構成からなる。
［動作］
携帯用端末装置４１０は、利用者の設定によりＲＦＩＤのための電波を発信する。携帯用端末装置４１０は、一般的に他の携帯用端末装置と通信を行うか、または、サーバーに保存されているデータを読み出すために、基地局へ通信を要請する。ここで、利用者の設定によっては、他の携帯用端末装置との通信遂行やサーバーに保存されているデータを読み出すための動作を中断し、ＲＦＩＤリーダーのための動作のみを行う。また、携帯用端末装置４１０は、他の携帯用端末装置との通信遂行やサーバーに保存されているデータを読み出すための動作を行なうと同時にＲＦＩＤリーダーのための動作を行うこともできる。
【００４８】
携帯用端末装置４１０より発信された電波を受信したＲＦＩＤトランスポンダ４２０は、保存している情報を携帯用端末装置４１０に送信する。ＲＦＩＤトランスポンダ４２０より送信された情報を受信した携帯用端末装置４１０は、その情報を携帯用端末装置４１０の表示部に表示するか、または携帯用端末装置４１０の保存装置に保存する。保存されている情報は、携帯用端末装置４１０の利用者の要請により何時でも読み出すことができる。携帯用端末装置４１０の利用者は、表示部に表示された情報以外に他の情報が必要であれば、携帯用端末装置４１０によって、必要な情報が保存されているサーバー４００に情報を要請できる。
【００４９】
次に、携帯用端末装置４１０とサーバー４００との間における動作について説明する。ＲＦＩＤトランスポンダ４２０が、ＲＦＩＤチップが入っている名刺である場合、ＲＦＩＤトランスポンダ４２０は名刺に含まれる情報を携帯用端末装置４１０へ送信する。名刺に含まれる情報とは、氏名、電話番号、会社名、Ｅ−ｍａｉｌ、会社ホームページなどが含まれる。名刺に含まれる情報を受信した携帯用端末装置４１０の利用者は、受信した情報以外で会社に関する情報がさらに必要な場合は、携帯用端末装置４１０を用いてサーバー４００へ必要な情報を要請する。サーバー４００は、名刺と、名刺に関する情報を保存している。サーバー４００は、携帯用端末装置４１０の要請によって、保存している会社に関する情報を携帯用端末装置４１０へ送信する。さらに、携帯用端末装置４１０は、サーバー４００より送信された会社のホームページに接続することもできる。また、携帯用端末装置４１０は、サーバー４００より送信された電話番号に通信を要請することもできる。
【００５０】
ＲＦＩＤトランスポンダ４２０が、ＲＦＩＤチップが入っているポスターである場合、ＲＦＩＤトランスポンダ４２０はポスターに含まれる情報を携帯用端末装置４１０へ送信する。ポスターに含まれる情報には、映画題目、主演俳優、公開日などが含まれる。ポスターに含まれる情報を受信した携帯用端末装置４１０の利用者は、受信した情報以外に他の情報がさらに必要な場合は、携帯用端末装置４１０を用いてサーバー４００へ必要な情報を要請する。サーバー４００は、ポスターと、ポスターに関する情報を保存している。サーバー４００は、携帯用端末装置４１０の要請によって、保存しているポスターに関する情報を携帯用端末装置４１０に送信する。さらに、携帯用端末装置４１０は、サーバー４００に接続して必要な情報を獲得できる。サーバー４００に保存され得る情報には、映画の予告編や製作過程等、映画を理解するのに必要な情報がある。
【００５１】
ＲＦＩＤトランスポンダ４２０が、ＲＦＩＤチップが入っている物品である場合、ＲＦＩＤトランスポンダ４２０は、物品に対する情報を携帯用端末装置４１０へ送信する。物品に対する情報には、物品の生産地、生産者、価格、流通期限日等を含む。物品に含まれる情報を受信した携帯用端末装置４１０の利用者は、受信した情報以外に他の情報がさらに必要な場合は、携帯用端末装置４１０を用いてサーバー４００へ必要な情報を要請する。サーバー４００は、物品と、物品に関する情報を保存している。サーバー４００は、携帯用端末装置４１０の要請によって、保存している物品に関する情報を携帯用端末装置４１０に送信する。さらに、携帯用端末装置４１０は、サーバー４００に接続して必要な情報を得ることもできる。サーバー４００に保存され得る情報には、生産者の挨拶、栽培過程に対する動画像、流通経路などがある。
＜携帯端末用装置の送受信構造の一例＞
以下より、ＲＦＩＤリーダーを備えている携帯用端末装置の送受信構造について説明する。携帯用端末装置の送受信構造は、ＲＦＩＤリーダーにおいて用いられる周波数と、移動通信において用いられる周波数とによって異なる。ＲＦＩＤリーダーにおいて用いられる周波数が、移動通信において用いられる周波数と同一である場合は、既存の送受信構造を用いる。一方、ＲＦＩＤリーダーにおいて用いられる周波数が、移動通信において用いられる周波数と異なる場合は、既存の送受信構造を変形して用いる。または、ＲＦＩＤリーダーとして動作するための構成を別途に備えることもできる。
【００５２】
先ず、ＲＦＩＤリーダーにおいて用いられる周波数が移動通信において用いられる周波数と同一である場合について、既存の送受信構造を利用する方法を説明する。（周波数が同一の時）
図５に、本発明に係るＲＦＩＤリーダーを備えている携帯用端末装置の送受信構造を示す。図５を参照すると、本発明に係る携帯用端末装置は、送信部と受信部とから構成される。送信部は、ＲＦＩＤリーダーとしての機能と既存の移動通信の機能を同時に行う。
【００５３】
携帯用端末装置の利用者は、携帯用端末装置を移動通信装置として用いるか否か、及び、ＲＦＩＤリーダーとして用いるか否かを設定する。この設定は、携帯用端末装置に備えられているキーボタンを操作するか、もしくは携帯用端末装置のメニューを利用して設定できる。携帯用端末装置が移動通信のための装置として使用する場合は、携帯用端末装置は、移動通信としての動作をする。また、携帯用端末装置をＲＦＩＤリーダーとして使用する場合は、携帯用端末装置は、ＲＦＩＤリーダーとしての動作をする。
【００５４】
アンテナ５６０は、データ／電波を送信／受信し、方向性結合器５５０は、携帯用端末装置を移動通信用として用いるか、またはＲＦＩＤリーダー用として用いるかを設定する。方向性結合器５５０が移動通信用として用いられる場合は、受信部の帯域選択フィルタ５１８からＲＦ下向変換混合器５００と、送信部のＲＦ下向変換混合器５２０から帯域選択フィルタ５４４とは、移動通信用として動作を行う。一方、方向性結合器５５０がＲＦＩＤリーダーとして用いられる場合は、受信部の帯域選択フィルタ５１８からＲＦ下向変換混合器５００と、送信部のＲＦ下向変換混合器５２０から帯域選択フィルタ５４４とは、ＲＦＩＤリーダーとして動作を行う。尚、受信部の帯域選択フィルタ５１８からＲＦ下向変換混合器５００の動作、及び送信部のＲＦ下向変換混合器５２０から帯域選択フィルタ５４４の動作は前述のとおりである。
（周波数が異なるとき）
次に、移動通信において用いられる周波数とＲＦＩＤリーダーとして用いられる周波数とが異なる場合において、携帯用端末装置を利用する方法について説明する。この場合、受信部の帯域選択フィルタ５１８からＲＦ下向変換混合器５００との動作と、送信部のＲＦ下向変換混合器５２０から帯域選択フィルタ５４４の動作とは異なっている。一般に、ＲＦＩＤリーダーにおいて用いられる周波数と移動通信において用いられる周波数とは異なっている。下記の表１に、ＲＦＩＤリーダー及び移動通信において用いる周波数を示す。
【表１】
2005210691.tif 000003
【００５５】
表１において示しているように、ＲＦＩＤリーダーにおいて用いられる周波数と移動通信において用いられる周波数とは、若干の差がある。従って、１つの構成の携帯用端末装置において、ＲＦＩＤリーダー及び移動通信に用いる場合は、その動作は異なる。ここで、１つの構成の携帯用端末装置とは、本発明に係るＲＦＩＤリーダーを備えている携帯用端末装置の送受信構造を言う。図５に示すように、送信部と受信部とアンテナと方向結合器より構成されている。
【００５６】
例えば、ＲＦ及びＩＦ局部発振器において生成される周波数と各種フィルタにおいてフィルタリングされる周波数等が異なる。ここで、ＲＦ及びＩＦ局部発振器において生成される周波数と各種フィルタにおいてフィルタリングされる周波数は、制御信号によって制御される。
＜携帯端末用装置の送受信構造の他の例＞
図６に、本発明による移動通信としての機能とＲＦＩＤリーダーとしての機能とを行う携帯用端末装置の他の構成を示す。図６は、図５と異なって移動通信を行う部分とＲＦＩＤリーダーの機能を行う部分とから構成される。移動通信を行う部分は、移動通信受信部６００と移動通信送信部６０４とを具備する。そして、ＲＦＩＤリーダーの機能を行う部分は、ＲＦＩＤリーダー受信部６０２とＲＦＩＤリーダー送信部６０６とを具備する。移動通信受信部６００とＲＦＩＤリーダー受信部６０２とは、受信部の帯域選択フィルタ５１８〜ＲＦ下向変換混合器５００を含む。移動通信送信部６０４とＲＦＩＤリーダー送信部６０６とは、送信部のＲＦ下向変換混合器５２０〜帯域選択フィルタ５４４を含む。受信部の帯域選択フィルタ５１８〜ＲＦ下向変換混合器５００と、送信部のＲＦ下向変換混合器５２０〜帯域選択フィルタ５４４における動作は、図１乃至図２における動作と同様である。
【００５７】
携帯用端末装置の利用者は、携帯用端末装置を移動通信用装置として用いるか、または、ＲＦＩＤのための装置として用いるかを設定する。この設定は、携帯用端末装置に備えられているキーボタンを操作するか、携帯用端末装置のメニューを利用して設定できる。携帯用端末装置が移動通信を使用するに設定した場合は、携帯用端末装置は、移動通信の動作をする。一方、携帯用端末装置がＲＦＩＤリーダーとして設定される場合、携帯用端末装置はＲＦＩＤリーダーとして動作する。携帯用端末装置が移動通信のために用いられる場合、方向性結合器６１０は、移動通信受信部６００と移動通信送信部６０４とに連結される。そして、携帯用端末装置がＲＦＩＤリーダーとして用いられる場合は、方向性結合器６１０は、ＲＦＩＤリーダー受信部６０２とＲＦＩＤリーダー送信部６０６とに連結される。図６の場合、携帯用端末装置の体積が増加するという短所があるが、用いられるＲＦＩＤリーダーの周波数によってＲＦＩＤリーダー受信部６０２の構成とＲＦＩＤリーダー送信部６０６の構成において行われる動作を迅速に設定できるという長所を有している。
【００５８】
本発明の無線認識機能を有する携帯用端末装置及び携帯用端末装置の使用方法によると、携帯用端末装置をＲＦＩＤリーダーとして用いることにより、ＲＦＩＤチップが内蔵されて名刺やポスト、物品などに関する情報を獲得できる。また、名刺、ポスト、物品に関して必要な情報を追加して要求する場合、名刺、ポスト、物品に関する情報が保存されているサーバーに接続することにより、携帯用端末装置の利用者は、必要な情報をいつでも得ることができる。
【図面の簡単な説明】
【００５９】
【図１】携帯用端末装置の受信部の構造図
【図２】携帯用端末装置の送信部の構造図
【図３】携帯用端末装置が無線認識トランスポンダとして機能する場合を示した図面
【図４】携帯用端末装置が無線認識リーダーとして機能する場合を示した図面
【図５】本発明に係る携帯用端末装置の送受信部の構造図
【図６】本発明に係る携帯用端末装置の送受信部のその他の構造図
【符号の説明】
【００６０】
１００、２２６、５６０、６２０  アンテナ
１０２、２１８、２２４、５１８，５３８、５４４  帯域選択フィルタ（ＢＳＦ）
１０４，５１６  低雑音増幅器（ＬＮＡ）
１０６、５１４  画像除去フィルタ（ＩＲＦ）
１０８、１１８、２００、２０８、５００、５０８、５２０、５２８  下向変換混合器
１１０、１２０、２０２、２１０、５０２、５１０，５２２，５３０  局部発振器
１１２，２１２，５１２、５３２  位相固定ループ（ＰＬＬ）
１１４，２０６、５０６、５２６  チャネル選択フィルタ（ＣＳＦ）
１１６、２０４、５０４、５２４  ＩＦ増幅器（ＩＦＡ）
２１４、５３４  （ＩＲＦ）
２１６、５３６  （ＤＡ）
２２０，５４０  （ＰＡ）
２２２，５４２  （アイソレート）
３００、４００    サーバー
３２０、４１０    携帯用端末装置
３１０    ＲＦＩＤリーダー
４２０    ＲＦＩＤトランスポンダ
５５０、６１０  方向性結合器
６００  移動通信受信部
６０２  ＲＦＩＤリーダー受信部
６０４  移動通信送信部
６０６  ＲＦＩＤリーダー送信部
【図１】
2005210691.tif 000004
【図２】
2005210691.tif 000005
【図３】
2005210691.tif 000006
【図４】
2005210691.tif 000007
【図５】
2005210691.tif 000008
【図６】
2005210691.tif 000009